(57)【特許請求の範囲】
【請求項１】
シリンダと、
自身と前記シリンダとの間に空間を形成するように前記シリンダ内に配置されたピストンと、
前記ピストンが取り付けられたシャフトと、
前記シャフトの回転方向に沿った第１の角度位置において前記シリンダに取り付けられ、前記空間を前記ピストンの周方向に沿って仕切る第１ベーンと、
前記シャフトの回転方向に沿った第２の角度位置において前記シリンダに取り付けられ、第１圧縮室と、前記第１圧縮室の容積よりも小さい容積を有する第２圧縮室とが前記シリンダ内に形成されるように、前記第１ベーンによって仕切られた前記空間を前記ピストンの周方向に沿ってさらに仕切る第２ベーンと、
前記第１圧縮室で圧縮するべき作動流体を前記第１圧縮室に導く第１吸入孔と、
前記第１圧縮室で圧縮された作動流体を前記第１圧縮室から前記第１圧縮室の外に導く第１吐出孔と、
前記第２圧縮室で圧縮するべき作動流体を前記第２圧縮室に導く第２吸入孔と、
前記第２圧縮室で圧縮された作動流体を前記第２圧縮室から前記第２圧縮室の外に導く第２吐出孔と、
前記第２吸入孔に設けられた吸入逆止弁と、
を備えた、ロータリ圧縮機。
【請求項２】
前記吸入逆止弁は、（i）前記第２圧縮室が最大容積に達した時点から、前記第２圧縮室が最小容積に達する時点まで、（ii）前記第２圧縮室が最大容積に達した時点から、圧縮された作動流体が前記第２吐出孔を通じて前記第２圧縮室の外に吐出され始める時点まで、又は（iii）前記第２圧縮室が最大容積に達した時点から、前記シリンダと前記ピストンとの接点が前記シャフトの回転に伴って前記第２吸入孔を通過する時点まで、前記第２圧縮室に吸入された作動流体が前記第２吸入孔を通じて前記第２圧縮室の外に逆流することを阻止する、請求項１に記載のロータリ圧縮機。
【請求項３】
前記第２吸入孔が、前記第１吸入孔の開口面積よりも小さい開口面積を有する、請求項１又は２に記載のロータリ圧縮機。
【請求項４】
前記第２吐出孔が、前記第１吐出孔の開口面積よりも小さい開口面積を有する、請求項１〜３のいずれか１項に記載のロータリ圧縮機。
【請求項５】
前記シャフトの回転方向に関して、前記第１の角度位置から前記第２の角度位置までの角度θが２７０度以上に設定されている、請求項１〜４のいずれか１項に記載のロータリ圧縮機。
【請求項６】
前記シリンダ、前記ピストン、前記第１ベーン及び前記第２ベーンを含む圧縮機構を収容している密閉容器と、
前記密閉容器の内部空間に向かって開口している吐出管と、
前記第１吐出孔を通じて前記第１圧縮室の外に導かれた作動流体と前記第２吐出孔を通じて前記第２圧縮室の外に導かれた作動流体とが前記密閉容器の内部空間を経由して前記吐出管に流入するように、前記第１吐出孔及び前記第２吐出孔のそれぞれと前記密閉容器の内部空間とを結ぶ吐出流路と、
前記吐出流路から前記吐出管までの作動流体の流路上に位置するように、前記密閉容器内に配置されたモータと、
をさらに備えた、請求項１〜５のいずれか１項に記載のロータリ圧縮機。
【請求項７】
前記吸入逆止弁は、前記第２吸入孔を閉じる裏面と、前記第２吸入孔を閉じたときに前記第２圧縮室の雰囲気に曝される表面とを有する薄板状の弁本体を含む、請求項１〜６のいずれか１項に記載のロータリ圧縮機。
【請求項８】
前記シリンダは、当該シリンダの半径方向の外向きに延びているとともに、前記第２圧縮室に通じている溝を有し、
前記第２吸入孔が前記溝に向かって開口するように設けられており、
前記吸入逆止弁は、（i）前記第２吸入孔を閉じる裏面と、前記第２吸入孔を閉じたときに前記第２圧縮室内の雰囲気に曝される表面とを有し、前記第２吸入孔を開閉できるように前記溝に配置された薄板状の弁本体と、（ii）前記第２吸入孔を開くときに前記弁本体の厚み方向への変位量を制限する支持面を有し、前記弁本体が前記第２吸入孔を閉じたときに前記支持面が前記第２圧縮室内の雰囲気に曝されるように前記溝に配置された弁止めとを有する、請求項１〜６のいずれか１項に記載のロータリ圧縮機。
【請求項９】
前記シリンダを第１シリンダ、前記ピストンを第１ピストンと定義したとき、
当該ロータリ圧縮機は、さらに、
前記第１シリンダに対して同心状に配置された第２シリンダと、
前記第２シリンダ内に配置され、前記シャフトに取り付けられた第２ピストンと、
前記第２シリンダ内に第３圧縮室が形成されるように、前記第２シリンダと前記第２ピストンとの間の空間を前記第２ピストンの周方向に沿って仕切る第３ベーンと、
前記第３圧縮室で圧縮するべき作動流体を前記第３圧縮室に導く第３吸入孔と、
前記第３圧縮室で圧縮された作動流体を前記第３圧縮室から前記第３圧縮室の外に導く第３吐出孔と、
を備えた、請求項１〜８のいずれか１項に記載のロータリ圧縮機。
【請求項１０】
前記第１圧縮室が前記第３圧縮室の容積よりも小さい容積を有する、請求項９に記載のロータリ圧縮機。
【請求項１１】
前記シリンダを第１シリンダ、前記ピストンを第１ピストンと定義したとき、
当該ロータリ圧縮機は、さらに、
前記第１シリンダに対して同心状に配置された第２シリンダと、
自身と前記第２シリンダとの間に第２の空間を形成するように前記第２シリンダ内に配置され、前記シャフトに取り付けられた第２ピストンと、
前記シャフトの回転方向に沿った第３の角度位置において前記第２シリンダに取り付けられ、前記第２の空間を前記第２ピストンの周方向に沿って仕切る第３ベーンと、
前記シャフトの回転方向に沿った第４の角度位置において前記第２シリンダに取り付けられ、第３圧縮室と、前記第３圧縮室の容積よりも小さい容積を有する第４圧縮室とが前記第２シリンダ内に形成されるように、前記第３ベーンによって仕切られた前記第２の空間をさらに仕切る第４ベーンと、
前記第３圧縮室で圧縮するべき作動流体を前記第３圧縮室に導く第３吸入孔と、
前記第３圧縮室で圧縮された作動流体を前記第３圧縮室から前記第３圧縮室の外に導く第３吐出孔と、
前記第４圧縮室で圧縮するべき作動流体を前記第４圧縮室に導く第４吸入孔と、
前記第４圧縮室で圧縮された作動流体を前記第４圧縮室から前記第４圧縮室の外に導く第４吐出孔と、
前記第４吸入孔に設けられた第２吸入逆止弁と、
を備えた、請求項１〜８のいずれか１項に記載のロータリ圧縮機。
【請求項１２】
前記第４圧縮室が前記第２圧縮室の容積よりも大きい容積を有する、請求項１１に記載のロータリ圧縮機。
【請求項１３】
前記シャフトは、前記第１ピストンが取り付けられた第１偏心部と、前記第２ピストンが取り付けられた第２偏心部とを含み、
前記シャフトの回転方向に関して、前記第１偏心部の突出方向と前記第２偏心部の突出方向との角度差が１８０度である、請求項９〜１２のいずれか１項に記載のロータリ圧縮機。
【請求項１４】
請求項１〜１３のいずれか１項に記載のロータリ圧縮機と、
前記ロータリ圧縮機で圧縮された作動流体を冷却する放熱器と、
前記放熱器で冷却された作動流体を膨張させる膨張機構と、
前記膨張機構で膨張した作動流体を気相の作動流体と液相の作動流体とに分離する気液分離器と、
前記気液分離器で分離された液相の作動流体を蒸発させる蒸発器と、
前記蒸発器から流出した作動流体を前記ロータリ圧縮機の前記第１吸入孔に導く吸入流路と、
前記気液分離器で分離された気相の作動流体を前記ロータリ圧縮機の前記第２吸入孔に導くインジェクション流路と、
を備えた、冷凍サイクル装置。
【請求項１５】
前記ロータリ圧縮機が、請求項９に記載のロータリ圧縮機であり、
前記蒸発器から流出した作動流体が前記ロータリ圧縮機の前記第１吸入孔及び前記第３吸入孔の両方に導かれるように、前記吸入流路は、前記第１吸入孔に向かって延びる分岐部分と、前記第３吸入孔に向かって延びる分岐部分とを含む、請求項１４に記載の冷凍サイクル装置。
【請求項１６】
請求項１１に記載のロータリ圧縮機と、
前記ロータリ圧縮機で圧縮された作動流体を冷却する放熱器と、
前記放熱器で冷却された作動流体を膨張させる第１膨張機構と、
前記第１膨張機構で膨張した作動流体を気相の作動流体と液相の作動流体とに分離する第１気液分離器と、
前記第１気液分離器で分離された液相の作動流体を膨張させる第２膨張機構と、
前記第２膨張機構で膨張した作動流体を気相の作動流体と液相の作動流体とに分離する第２気液分離器と、
前記第２気液分離器で分離された液相の作動流体を蒸発させる蒸発器と、
前記蒸発器から流出した作動流体を前記ロータリ圧縮機の前記第１吸入孔及び前記第３吸入孔にそれぞれ導く吸入流路と、
前記第１気液分離器で分離された気相の作動流体を前記ロータリ圧縮機の前記第２吸入孔に導く第１インジェクション流路と、
前記第２気液分離器で分離された気相の作動流体を前記ロータリ圧縮機の前記第４吸入孔に導く第２インジェクション流路と、
を備えた、冷凍サイクル装置。
【発明の詳細な説明】
【技術分野】
【０００１】
本発明は、ロータリ圧縮機及び冷凍サイクル装置に関する。
【背景技術】
【０００２】
中間圧を有する気相の冷媒を圧縮機にインジェクションすることにより、冷凍サイクル装置の効率が向上することが知られている（特許文献１参照）。この技術によれば、圧縮機の仕事及び蒸発器での冷媒の圧力損失を低減できるので、冷凍サイクルのＣＯＰ（coefficient of performance）が改善する。【０００３】
インジェクション技術に採用できる圧縮機として、シリンダ内に第１圧縮室と第２圧縮室とが形成されるように複数のベーン（ブレード）を設けたローリングピストン型圧縮機が提案されている（特許文献２参照）。【０００４】
図２０は、特許文献２の図３に記載されたヒートポンプ式暖房装置の構成図である。ヒートポンプ式暖房装置５００は、ローリングピストン型圧縮機５０１、凝縮器５０３、膨張機構５０４、気液分離器５０７及び蒸発器５０９を備え、蒸発器５０９からの気相の冷媒及び気液分離器５０７で分離された中間圧の気相の冷媒を圧縮機５０１でそれぞれ圧縮するように構成されている。圧縮機５０１のシリンダ５２２に取り付けられたベーン５２５及び５３５によって、シリンダ５２２とロータ５２３との間の空間が主圧縮室５２６及び副圧縮室５２７に区画されている。主圧縮室５２６は、吸入孔５２６ａ及び吐出孔５２６ｂを有する。副圧縮室５２７は、吸入孔５２７ａ及び吐出孔５２７ｂを有する。吸入孔５２６ａが蒸発器５０９に接続され、吸入孔５２７ａが気液分離器５０７に接続されている。吐出孔５２６ｂ及び吐出孔５２７ｂは１つに集合し、凝縮器５０３に接続されている。
【先行技術文献】
【特許文献】
【０００５】
【特許文献１】特開２００６−１１２７５３号公報
【特許文献２】特公平３−５３５３２号公報
【発明の概要】
【発明が解決しようとする課題】
【０００６】
本発明者らは、特許文献２に記載されたヒートポンプ式暖房装置５００が実用化できるものであるかどうか詳細に検討した。その結果、圧縮機５０１に次のような技術上の問題が存在することを突き止めた。圧縮機５０１によれば、吸入行程から圧縮行程に移る際に副圧縮室５２７から吸入孔５２７ａに多量の冷媒が逆流する。このことは、圧縮機効率の大幅な低下を招く。そのため、特許文献２に記載された圧縮機５０１を用いて冷凍サイクル装置を構築したとしても、冷凍サイクルのＣＯＰの向上は期待できない。【０００７】
本発明は、インジェクション技術に採用できるロータリ圧縮機の改良を目的とする。
【課題を解決するための手段】
【０００８】
すなわち、本発明は、
シリンダと、
自身と前記シリンダとの間に空間を形成するように前記シリンダ内に配置されたピストンと、
前記ピストンが取り付けられたシャフトと、
前記シャフトの回転方向に沿った第１の角度位置において前記シリンダに取り付けられ、前記空間を前記ピストンの周方向に沿って仕切る第１ベーンと、
前記シャフトの回転方向に沿った第２の角度位置において前記シリンダに取り付けられ、第１圧縮室と、前記第１圧縮室の容積よりも小さい容積を有する第２圧縮室とが前記シリンダ内に形成されるように、前記第１ベーンによって仕切られた前記空間を前記ピストンの周方向に沿ってさらに仕切る第２ベーンと、
前記第１圧縮室で圧縮するべき作動流体を前記第１圧縮室に導く第１吸入孔と、
前記第１圧縮室で圧縮された作動流体を前記第１圧縮室から前記第１圧縮室の外に導く第１吐出孔と、
前記第２圧縮室で圧縮するべき作動流体を前記第２圧縮室に導く第２吸入孔と、
前記第２圧縮室で圧縮された作動流体を前記第２圧縮室から前記第２圧縮室の外に導く第２吐出孔と、
前記第２吸入孔に設けられた吸入逆止弁と、
を備えた、ロータリ圧縮機を提供する。【０００９】
他の側面において、本発明は、
上記本発明のロータリ圧縮機と、
前記ロータリ圧縮機で圧縮された作動流体を冷却する放熱器と、
前記放熱器で冷却された作動流体を膨張させる膨張機構と、
前記膨張機構で膨張した作動流体を気相の作動流体と液相の作動流体とに分離する気液分離器と、
前記気液分離器で分離された液相の作動流体を蒸発させる蒸発器と、
前記蒸発器から流出した作動流体を前記ロータリ圧縮機の前記第１吸入孔に導く吸入流路と、
前記気液分離器で分離された気相の作動流体を前記ロータリ圧縮機の前記第２吸入孔に導くインジェクション流路と、
を備えた、冷凍サイクル装置を提供する。
【発明の効果】
【００１０】
本発明のロータリ圧縮機は、シリンダと、そのシリンダに取り付けられた複数のベーンとを有する。複数のベーンはシリンダとピストンとの間の空間を仕切っており、これにより、シリンダ内に第１圧縮室及び第２圧縮室が形成されている。第２圧縮室は、第１圧縮室の容積よりも小さい容積を有する。第１圧縮室は、主要な圧縮室として利用できる。第２圧縮室は、ロータリ圧縮機にインジェクションされた作動流体を圧縮する圧縮室として利用できる。【００１１】
第２圧縮室には、第２吸入孔を通じて作動流体が導かれる。第２吸入孔には吸入逆止弁が設けられている。そのため、第２圧縮室に吸入された作動流体が第２吸入孔を通じて第２圧縮室の外に逆流することを防止できる。従って、本発明のロータリ圧縮機は、高い圧縮機効率を達成できる。本発明のロータリ圧縮機を使用した冷凍サイクル装置は、高いインジェクション効果を享受できる。
【図面の簡単な説明】
【００１２】
【図１】本発明の第１実施形態に係る冷凍サイクル装置の構成図
【図２】図１に示す冷凍サイクル装置に使用されたロータリ圧縮機の縦断面図
【図３】図２に示すロータリ圧縮機のＡ−Ａ線に沿った横断面図
【図４】吸入逆止弁の拡大断面図
【図５Ａ】弁本体の側面図及び平面図
【図５Ｂ】弁止めの側面図及び平面図
【図６】圧縮機構の斜視図
【図７】ロータリ圧縮機の動作をシャフトの回転角度毎に示す概略図
【図８Ａ】第１圧縮室のＰＶ線図
【図８Ｂ】第２圧縮室のＰＶ線図
【図９】インジェクションにより削減できる圧縮仕事を示す第２圧縮室のＰＶ線図
【図１０Ａ】吸入逆止弁を省略したロータリ圧縮機の動作を示す概略図
【図１０Ｂ】図１０Ａに示す第２圧縮室のＰＶ線図
【図１１】第１ベーンと第２ベーンとのなす角度が鈍角となるように設計された変形例を示す概略図
【図１２Ａ】ベーンの変形例を示す概略図
【図１２Ｂ】ベーンの他の変形例を示す概略図
【図１３】変形例に係るロータリ圧縮機の縦断面図
【図１４】図１３に示すロータリ圧縮機のＢ−Ｂ線に沿った横断面図
【図１５】本発明の第２実施形態に係る冷凍サイクル装置の構成図
【図１６】図１５に示す冷凍サイクル装置に使用されたロータリ圧縮機の縦断面図
【図１７Ａ】図１６に示すロータリ圧縮機のＤ−Ｄ線に沿った横断面図
【図１７Ｂ】図１６に示すロータリ圧縮機のＥ−Ｅ線に沿った横断面図
【図１８】第１シリンダの厚みと第２シリンダの厚みとの関係を示す概略図
【図１９】第１インジェクション流路及び第２インジェクション流路の変形例を示す部分構成図
【図２０】従来のヒートポンプ式暖房装置の構成図
【図２１】ベーンを１つのみ有する従来のローリングピストン型圧縮機の横断面図
【発明を実施するための形態】
【００１３】
以下、添付の図面を参照しつつ本発明の実施形態を説明する。ただし、本発明は、以下に説明する実施形態によって限定解釈されない。各実施形態及び各変形例は、発明の要旨を逸脱しない範囲内で相互に組み合わせることができる。
【００１４】
（第１実施形態）
図１は、本実施形態に係る冷凍サイクル装置の構成図である。冷凍サイクル装置１００は、ロータリ圧縮機１０２、第１熱交換器１０４、第１膨張機構１０６、気液分離器１０８、第２膨張機構１１０及び第２熱交換器１１２を備えている。これらの構成要素は、冷媒回路１０を形成するように、流路１０ａ〜１０ｄによって上記の順番に環状に接続されている。流路１０ａ〜１０ｄは、典型的には、冷媒配管で構成されている。冷媒回路１０には、作動流体として、ハイドロフルオロカーボン、二酸化炭素等の冷媒が充填されている。
【００１５】
冷凍サイクル装置１００は、さらに、インジェクション流路１０ｊを備えている。インジェクション流路１０ｊは、気液分離器１０８に接続された一端とロータリ圧縮機１０２に接続された他端とを有し、気液分離器１０８で分離された気相の冷媒をロータリ圧縮機１０２に直接に導く。インジェクション流路１０ｊは、典型的には、冷媒配管で構成されている。インジェクション流路１０ｊに減圧弁が設けられていてもよい。インジェクション流路１０ｊにアキュームレータが設けられていてもよい。
【００１６】
冷媒回路１０には、冷媒の流れ方向を切り替えることができる切り替え機構として、四方弁１１６が設けられている。図１に実線で示すように四方弁１１６を制御すると、ロータリ圧縮機１０２で圧縮された冷媒は第１熱交換器１０４に供給される。この場合、第１熱交換器１０４は、ロータリ圧縮機１０２で圧縮された冷媒を冷却する放熱器（凝縮器）として機能する。第２熱交換器１１２は、気液分離器１０８で分離された液相の冷媒を蒸発させる蒸発器として機能する。他方、図１に破線で示すように四方弁１１６を制御すると、ロータリ圧縮機１０２で圧縮された冷媒は第２熱交換器１１２に供給される。この場合、第１熱交換器１０４が蒸発器として機能し、第２熱交換器１１２が放熱器として機能する。四方弁１１６により、例えば、冷凍サイクル装置１００を採用した空気調和装置に冷房及び暖房の両方の機能を付与できる。
【００１７】
ロータリ圧縮機１０２は、冷媒を高温高圧に圧縮するための機器である。ロータリ圧縮機１０２は、第１吸入孔１９（主吸入孔）及び第２吸入孔２０（インジェクション吸入孔）を有する。第１熱交換器１０４又は第２熱交換器１１２から流出した冷媒がロータリ圧縮機１０２に導かれるように、第１吸入孔１９に流路１０ｄが接続されている。気液分離器１０８で分離された気相の冷媒がロータリ圧縮機１０２に導かれるように、第２吸入孔２０にインジェクション流路１０ｊが接続されている。
【００１８】
第１熱交換器１０４は、典型的には、空気−冷媒熱交換器又は水−冷媒熱交換器で構成されている。第２熱交換器１１２も典型的には空気−冷媒熱交換器又は水−冷媒熱交換器で構成されている。冷凍サイクル装置１００を空気調和装置に採用する場合、第１熱交換器１０４及び第２熱交換器１１２の両方が空気−冷媒熱交換器で構成される。冷凍サイクル装置１００を給湯機又は給湯暖房機に採用する場合、第１熱交換器１０４が水−冷媒熱交換器で構成され、第２熱交換器１１２が空気−冷媒熱交換器で構成される。
【００１９】
第１膨張機構１０６及び第２膨張機構１１０は、放熱器としての第１熱交換器１０４（又は第２熱交換器１１２）で冷却された冷媒又は気液分離器１０８で分離された液相の冷媒を膨張させるための機器である。第１膨張機構１０６及び第２膨張機構１１０は、典型的には、膨張弁で構成されている。好適な膨張弁として、開度を変更できる弁、例えば電動膨張弁が挙げられる。第１膨張機構１０６は、第１熱交換器１０４と気液分離器１０８との間の流路１０ｂ上に設けられている。第２膨張機構１１０は、気液分離器１０８と第２熱交換器１１２との間の流路１０ｃ上に設けられている。膨張機構１０６及び１１０は、それぞれ、冷媒から動力を回収できる容積型膨張機で構成されていてもよい。
【００２０】
気液分離器１０８は、第１膨張機構１０６又は第２膨張機構１１０で膨張した冷媒を気相の冷媒と液相の冷媒とに分離する。気液分離器１０８には、第１膨張機構１０６又は第２膨張機構１１０で膨張した冷媒の入口、液相の冷媒の出口及び気相の冷媒の出口が設けられている。気相の冷媒の出口にインジェクション流路１０ｊの一端が接続されている。
【００２１】
冷媒回路１０には、アキュームレータ、内部熱交換器等の他の機器が設けられていてもよい。
【００２２】
図２は、図１に示す冷凍サイクル装置１００に使用されたロータリ圧縮機１０２の縦断面図である。図３は、図２に示すロータリ圧縮機１０２のＡ−Ａ線に沿った横断面図である。ロータリ圧縮機１０２は、密閉容器１、モータ２、圧縮機構３及びシャフト４を備えている。圧縮機構３は、密閉容器１内の下部に配置されている。モータ２は、密閉容器１内において、圧縮機構３の上に配置されている。シャフト４によって、圧縮機構３とモータ２とが連結されている。密閉容器１の上部には、モータ２に電力を供給するための端子２１が設けられている。密閉容器１の底部には、潤滑油を保持するための油溜り２２が形成されている。
【００２３】
モータ２は、ステータ１７及びロータ１８で構成されている。ステータ１７は、密閉容器１の内壁に固定されている。ロータ１８は、シャフト４に固定されており、かつシャフト４とともに回転する。
【００２４】
密閉容器１の上部には、吐出管１１が設けられている。吐出管１１は、密閉容器１の上部を貫通しているとともに、密閉容器１の内部空間１３に向かって開口している。吐出管１１は、圧縮機構３で圧縮された冷媒を密閉容器１の外部に導く吐出流路としての役割を担う。つまり、吐出管１１は、図１に示す流路１０ａの一部を構成している。ロータリ圧縮機１０２の動作時において、密閉容器１の内部空間１３は、圧縮された冷媒で満たされる。つまり、ロータリ圧縮機１０２は、高圧シェル型の圧縮機である。高圧シェル型のロータリ圧縮機１０２によれば、冷媒でモータ２を冷却できるのでモータ効率の向上を期待できる。冷媒がモータ２で加熱されると、冷凍サイクル装置１００の加熱能力も向上する。
【００２５】
圧縮機構３は、冷媒を圧縮するようにモータ２によって動かされる。図２及び図３に示すように、圧縮機構３は、シリンダ５、主軸受６、副軸受７、ピストン８、マフラー９、第１ベーン３２、第２ベーン３３、第１吐出弁４３、第２吐出弁４４及び吸入逆止弁５０を有する。本実施形態では、第１吸入孔１９及び第２吸入孔２０のうち、第２吸入孔２０にのみ吸入逆止弁５０が設けられている。
【００２６】
シャフト４は、半径方向の外向きに突出した偏心部４ａを有する。ピストン８は、シリンダ５の内部に配置されている。シリンダ５の内部において、シャフト４の偏心部４ａにピストン８が取り付けられている。シリンダ５には、第１ベーン溝３４及び第２ベーン溝３５が形成されている。第１ベーン溝３４は、シャフト４の回転方向に沿った第１の角度位置に形成されている。第２ベーン溝３５は、シャフト４の回転方向に沿った第２の角度位置に形成されている。
【００２７】
第１ベーン溝３４には、ピストン８の外周面に接する先端を有する第１ベーン３２（ブレード）がスライドできるように取り付けられている。第１ベーン３２は、シリンダ５とピストン８との間の空間をピストン８の周方向に沿って仕切っている。第２ベーン溝３５には、ピストン８の外周面に接する先端を有する第２ベーン３３（ブレード）がスライドできるように取り付けられている。第２ベーン３３は、シリンダ５とピストン８との間の空間をピストン８の周方向に沿ってさらに仕切っている。これにより、シリンダ５の内部に、第１圧縮室２５（主圧縮室）と、第１圧縮室２５の容積よりも小さい容積を有する第２圧縮室２６（インジェクション圧縮室）とが形成されている。
【００２８】
ピストン８と、第１ベーン３２及び第２ベーン３３から選ばれる１つとが単一の部品、いわゆるスイングピストンで構成されていてもよい。また、第１ベーン３２及び第２ベーン３３から選ばれる少なくとも１つが、ピストン８に結合していてもよい。
【００２９】
第１ベーン３２の背後には、第１ばね３６が配置されている。第２ベーン３３の背後には、第２ばね３７が配置されている。第１ばね３６及び第２ばね３７は、それぞれ、第１ベーン３２及び第２ベーン３３をシャフト４の中心に向かって押している。第１ベーン溝３４の後部及び第２ベーン溝３５の後部は、それぞれ、密閉容器１の内部空間１３に連通している。従って、密閉容器１の内部空間１３の圧力が第１ベーン３２の背面及び第２ベーン３３の背面に加えられる。また、第１ベーン溝３４及び第２ベーン溝３５には、油溜り２２に溜められた潤滑油が供給される。
【００３０】
本明細書では、第１ベーン３２及び第１ベーン溝３４の位置をシャフト４の回転方向に沿った「０度（第１の角度）」の位置と定義する。言い換えれば、第１ベーン３２がピストン８によって第１ベーン溝３４に最大限に押し込まれた瞬間におけるシャフト４の回転角度を「０度」と定義する。第２ベーン３３がピストン８によって第２ベーン溝３５に最大限に押し込まれた瞬間におけるシャフト４の回転角度が「第２の角度」に相当する。本実施形態において、第１ベーン３２が配置された第１の角度位置から第２ベーン３３が配置された第２の角度位置までの角度θ（度）は、シャフト４の回転方向に関して、例えば２７０〜３５０度の範囲にある。言い換えれば、第１ベーン３２と第２ベーン３３とのなす角度（３６０−θ）は、１０〜９０度の範囲にある。角度θが２７０度以上であれば、第１圧縮室２５の吸入行程において、第１吸入孔１９を通じて第１圧縮室２５から第１吸入管１４に逆流する冷媒の量が十分に少ない。そのため、第１吸入孔１９に逆止弁を設ける必要がない。
【００３１】
図２に示すように、主軸受６及び副軸受７は、シリンダ５を閉じるようにシリンダ５の上側及び下側にそれぞれ配置されている。マフラー９は、主軸受６の上部に設けられており、第１吐出弁４３及び第２吐出弁４４を覆っている。マフラー９には、圧縮された冷媒を密閉容器１の内部空間１３に導くための吐出孔９ａが形成されている。シャフト４は、マフラー９の中心部を貫通しているとともに、主軸受６及び副軸受７によって回転可能に支持されている。
【００３２】
図２及び図３に示すように、本実施形態において、第１吸入孔１９及び第２吸入孔２０は、シリンダ５に形成されている。第１吸入孔１９は、第１圧縮室２５で圧縮するべき冷媒を第１圧縮室２５に導く。第２吸入孔２０は、第２圧縮室２６で圧縮するべき冷媒を第２圧縮室２６に導く。なお、第１吸入孔１９及び第２吸入孔２０は、それぞれ、主軸受６又は副軸受７に形成されていてもよい。
【００３３】
本実施形態において、第２吸入孔２０は、第１吸入孔１９の開口面積よりも小さい開口面積を有する。第２吸入孔２０の開口面積が小さければ小さいほど吸入逆止弁５０の部品の寸法も小さい。このことは、吸入逆止弁５０に起因する死容積（デッドボリューム）の増大を抑制する観点、及び設計の余裕を確保する観点で重要である。第１吸入孔１９の開口面積をＳ1、第２吸入孔２０の開口面積をＳ2としたとき、開口面積Ｓ1及びＳ2は、例えば１．１≦（Ｓ1／Ｓ2）≦３０を満たす。なお、「死容積」とは、作動室として機能しない容積を意味する。一般に、容積型流体機械にとって、大きい死容積は好ましくない。
【００３４】
図３に示すように、圧縮機構３には、第１吸入管１４（主吸入管）及び第２吸入管１６（インジェクション吸入管）が接続されている。第１吸入管１４は、第１吸入孔１９に冷媒を供給できるように、密閉容器１の胴部を貫通してシリンダ５に嵌め込まれている。第１吸入管１４は、図１に示す流路１０ｄの一部を構成している。第２吸入管１６は、第２吸入孔２０に冷媒を供給できるように、密閉容器１の胴部を貫通してシリンダ５に嵌め込まれている。第２吸入管１６は、図１に示すインジェクション流路１０ｊの一部を構成している。
【００３５】
圧縮機構３には、さらに、第１吐出孔４０（主吐出孔）及び第２吐出孔４１（インジェクション吐出孔）が設けられている。第１吐出孔４０及び第２吐出孔４１は、それぞれ、主軸受６をシャフト４の軸方向に貫通する形で主軸受６に形成されている。第１吐出孔４０は、第１圧縮室２５で圧縮された冷媒を第１圧縮室２５から第１圧縮室２５の外（本実施形態ではマフラー９の内部空間）に導く。第２吐出孔４１は、第２圧縮室２６で圧縮された冷媒を第２圧縮室２６から第２圧縮室２６の外（本実施形態ではマフラー９の内部空間）に導く。第１吐出孔４０及び第２吐出孔４１には、それぞれ、第１吐出弁４３及び第２吐出弁４４が設けられている。第１圧縮室２５の圧力が密閉容器１の内部空間１３の圧力（冷凍サイクルの高圧）を上回った場合に、第１吐出弁４３が開く。第２圧縮室２６の圧力が密閉容器１の内部空間１３の圧力を上回った場合に、第２吐出弁４４が開く。
【００３６】
マフラー９は、第１吐出孔４０及び第２吐出孔４１のそれぞれと密閉容器１の内部空間１３とを結ぶ吐出流路としての役割を担う。第１吐出孔４０を通じて第１圧縮室２５の外に導かれた冷媒と第２吐出孔４１を通じて第２圧縮室２６の外に導かれた冷媒とがマフラー９の内部で合流する。合流した冷媒は、密閉容器１の内部空間１３を経由して吐出管１１に流入する。密閉容器１内には、マフラー９から吐出管１１までの冷媒の流路上に位置するようにモータ２が配置されている。このような構成によれば、冷媒によるモータ２の冷却及びモータ２の熱による冷媒の加熱を効率的に行うことができる。
【００３７】
本実施形態において、第２吐出孔４１は、第１吐出孔４０の開口面積よりも小さい開口面積を有する。第２吐出孔４１の開口面積が小さければ小さいほど、第２吐出孔４１に起因する死容積を小さくできる。第１吐出孔４０の開口面積をＳ3、第２吐出孔４１の開口面積をＳ4としたとき、開口面積Ｓ3及びＳ4は、例えば１．１≦（Ｓ3／Ｓ4）≦１５を満たす。
【００３８】
なお、第２吸入孔２０の開口面積Ｓ2が第１吸入孔１９の開口面積Ｓ1に等しい場合もありうる。さらに、第２吐出孔４１の開口面積Ｓ4が第１吐出孔４０の開口面積Ｓ3に等しい場合もありうる。各吸入孔及び各吐出孔の寸法は、それらを通過する冷媒の流量を考慮して適切に決定されるべきである。より詳細には、死容積と圧力損失とのバランスを考慮して決定されるべきである。
【００３９】
図４に示すように、吸入逆止弁５０は、弁本体５１及び弁止め５２を含む。シリンダ５の上面５ｐには平面視で短冊の形をした浅い溝５ｇが形成されており、その溝５ｇに弁本体５１及び弁止め５２が装着されている。溝５ｇは、シリンダ５の半径方向の外向きに延びているとともに、第２圧縮室２６に連通している。第２吸入孔２０は、溝５ｇの底部に開口している。詳細には、第２吸入孔２０は、シリンダ５に形成された有底孔で構成されており、その有底孔は、溝５ｇの底部に開口している。第２吸入孔２０に冷媒を供給できるように、シリンダ５の外周面からシリンダ５の中心に向かって延びる吸入流路５ｆがシリンダ５の内部に形成されている。その吸入流路５ｆに吸入管１６が接続されている。
【００４０】
図５Ａに示すように、弁本体５１は、第２吸入孔２０を閉じる裏面５１ｑと、第２吸入孔２０を閉じたときに第２圧縮室２６内の雰囲気に曝される表面５１ｐとを有する。吸入逆止弁５０の弁本体５１の可動範囲が第２圧縮室２６内に設定されている。弁本体５１は、全体として薄板の形状を有しており、典型的には、薄い金属板（リード弁）で構成されている。
【００４１】
図５Ｂに示すように、弁止め５２は、第２吸入孔２０を開くときに弁本体５１の厚み方向への変位量を制限する支持面５２ｑを有する。支持面５２ｑは、弁止め５２の厚みが第２圧縮室２６に近づくにつれて減少するように、緩やかな曲面を形成している。すなわち、弁止め５２は、全体として靴型のような形を有している。弁止め５２の先端面５２ｔは、シリンダ５の内径と同じ曲率半径の円弧の形状を有している。
【００４２】
弁本体５１は、第２吸入孔２０を開閉できるように溝５ｇに配置されている。弁本体５１が第２吸入孔２０を閉じたときに支持面５２ｑが第２圧縮室２６内の雰囲気に曝されるように、弁止め５２が溝５ｇに配置されている。弁本体５１及び弁止め５２は、ボルト等の締結具５４によってシリンダ５に固定されている。弁本体５１の後端部は弁止め５２と溝５ｇとの間に挟まれて動けないが、弁本体５１の先端部は固定されておらず、揺れ動ける。弁止め５２及び第２吸入孔２０を平面視したとき、第２吸入孔２０は弁止め５２の支持面５２ｑに重なっている。
【００４３】
弁止め５２の後端部付近において、弁本体５１の厚みと弁止め５２の厚みとの合計の厚みは、溝５ｇの深さに概ね一致している。溝５ｇに弁本体５１及び弁止め５２を装着したとき、シリンダ５の厚み方向に関して、弁止め５２の上面５２ｐの位置はシリンダ５の上面の位置に一致する。
【００４４】
図５Ａに示すように、弁本体５１は、第２吸入孔２０を開閉するための幅広部分５５を有する。幅広部分５５の最大幅Ｗ1は、弁止め５２の先端部の幅Ｗ2、言い換えれば、シリンダ５に面した位置における溝５ｇの幅よりも広い。幅広部分５５により、第２吸入孔２０を閉じるためのシール幅を確保しつつ、死容積の増大を抑制できる。
【００４５】
図４及び図６に示すように、溝５ｇの深さは、例えば、シリンダ５の厚みの半分よりも小さい。また、溝５ｇの大部分は弁止め５２によって埋められている。溝５ｇのごく一部が、弁本体５１の可動範囲として残されている。
【００４６】
吸入逆止弁５０は、シャフト５の回転に伴って次のように動作する。第２圧縮室２６の圧力が吸入流路５ｆ及び第２吸入管１６の圧力を下回った場合、弁本体５１が弁止め５２の支持面５２ｑに沿う形状に変位する。言い換えれば、弁本体５１が押し上げられる。これにより、第２吸入孔２０と第２圧縮室２６とが連通し、第２吸入孔２０を通じて第２圧縮室２６に冷媒が供給される。他方、第２圧縮室２６の圧力が吸入流路５ｆ及び第２吸入管１６の圧力を上回った場合、弁本体５１が元の平らな形状に復帰する。これにより、第２吸入孔２０が閉じられる。従って、第２圧縮室２６に吸入された冷媒が第２吸入孔２０を通じて吸入流路５ｆ及び第２吸入管１６に逆流することを防止できる。
【００４７】
本実施形態の吸入逆止弁５０によれば、上記したいくつかの特徴的な構造により、吸入孔に逆止弁を設けることに基づく死容積の増大を抑制できる。つまり、吸入逆止弁５０は、高い圧縮機効率の達成に寄与する。従って、本実施形態のロータリ圧縮機１０２を用いた冷凍サイクル装置１００は、高いＣＯＰを有する。
【００４８】
なお、第２吸入孔２０は、主軸受６又は副軸受７に形成されていてもよい。この場合、図３〜図６を参照して説明した構造を有する吸入逆止弁５０を主軸受６又は副軸受７に設けることができる。主軸受６（又は副軸受７）とシリンダ５との間にシリンダ５を閉じるための部材（閉塞部材）を設け、この部材に吸入逆止弁５０を設けることもできる。
【００４９】
次に、図７を参照して、ロータリ圧縮機１０２の動作を時系列で説明する。図７中の角度は、シャフト４の回転角度を表している。なお、図７に示す角度は、あくまでも例示にすぎず、図７に示された角度で各行程が必ず開始又は終了するわけではない。第１圧縮室２５に冷媒を吸入する行程は、シャフト４が０度の回転角度を占有するときから、概ね３６０度の回転角度を占有するときまで行われる。第１圧縮室２５に吸入された冷媒は、シャフト４の回転に伴って圧縮される。圧縮行程は、第１圧縮室２５の圧力が密閉容器１の内部空間１３の圧力を上回るまで続く。図７において、圧縮行程は、シャフト４が３６０度の回転角度を占有するときから、５４０度の回転角度を有するときまで行われている。圧縮された冷媒を第１圧縮室２５の外に吐出する行程は、シリンダ５とピストン８との接点が第１吐出孔４０を通過するまで行われる。図７において、吐出行程は、シャフト４が５４０度の回転角度を占有するときから、（６３０＋α）度の回転角度を占有するときまで行われている。「α」は、２７０度の角度位置から第２ベーン３３が配置された第２の角度位置までの角度を表す。
【００５０】
他方、第２圧縮室２６に冷媒を吸入する行程は、シャフト４が（２７０＋α）度の回転角度を占有するときから、（４９５＋α／２）度の回転角度を占有するときまで行われる。（４９５＋α／２）度は、第２圧縮室２６が最大容積を有するときのシャフト４の回転角度である。第２圧縮室２６に吸入された冷媒は、シャフト４の回転に伴って圧縮される。圧縮行程は、第２圧縮室２６の圧力が密閉容器１の内部空間１３の圧力を上回るまで続く。図７において、圧縮行程は、シャフト４が（４９５＋α／２）度の回転角度を占有するときから、６３０度の回転角度を占有するときまで行われている。圧縮された冷媒を第２圧縮室２６の外に吐出する行程は、シリンダ５とピストン８との接点が第２吐出孔４１を通過するまで行われる。図７において、吐出行程は、シャフト４が６３０度の回転角度を占有するときから、７２０度の回転角度を占有するときまで行われている。
【００５１】
図８Ａ及び図８Ｂに第１圧縮室２５及び第２圧縮室２６のＰＶ線図をそれぞれ示す。図８Ａに示すように、第１圧縮室２５における吸入行程は、点Ａから点Ｂへの変化で表される。第１圧縮室２５の容積は、点Ｂで最大値に達するが、第１圧縮室２５には逆止弁が設けられていないので、点Ｂから点Ｃまでの間に少量の冷媒が第１圧縮室２５から第１吸入孔１９に逆流する。従って、第１圧縮室２５の実際の吸入容積（閉じ込め容積）は、点Ｃの容積で特定される。圧縮行程は、点Ｃから点Ｄへの変化で表される。吐出行程は、点Ｄから点Ｅへの変化で表される。
【００５２】
図８Ｂに示すように、第２圧縮室２６における吸入行程は、点Ｆから点Ｇへの変化で表される。吸入逆止弁５０の機能により、第２圧縮室２６から第２吸入孔２０への冷媒の逆流量は概ねゼロである。従って、第２圧縮室２６の最大容積は、実際の吸入容積に一致している。圧縮行程は、点Ｇから点Ｈへの変化で表される。吐出行程は、点Ｈから点Ｉへの変化で表される。第２圧縮室２６は、中間圧を有するガス冷媒を吸入及び圧縮するので、図９に示すように、斜線領域の面積に対応する圧縮仕事を削減できる。これにより、冷凍サイクル装置１００の効率が向上する。なお、図８Ｂ及び図９は、吸入逆止弁５０による死容積をゼロと仮定した場合のＰＶ線図である。
【００５３】
ちなみに、図１０Ａは、吸入逆止弁を有さないロータリ圧縮機の動作を示す概略図である。２つのベーンのなす角度は９０度である。圧縮室５３６及び吸入孔５３７は、それぞれ、本実施形態の第２圧縮室２６及び第２吸入孔２０に対応している。図１０Ａの左側に示す状態で圧縮室５３６は最大容積を有する。しかし、左側に示す状態から右側に示す状態までシャフト５３４が回転する期間において、圧縮室５３６から吸入孔５３７に冷媒が逆流する（逆流行程）。
【００５４】
実際には、図１０Ｂに示すように、最大容積が点Ｊの容積で表されるとき、実際に圧縮が始まる瞬間の容積（実吸入容積）は点Ｇの容積で表される。つまり、相当の割合の冷媒（点Ｊの容積から点Ｇの容積を引いた容積）が逆流行程で圧縮室５３６から押し出される。そのため、非常に大きい損失が発生する。図１０Ｂの斜線部分は、点Ｆから点Ｊまで圧縮室５３６が冷媒を吸入するときに発生する損失と、点Ｊから点Ｇまで圧縮室５３６の容積が減少するときに冷媒の逆流によって生じる損失との和（余分な圧縮仕事）を表している。さらに、冷媒の逆流によって生じた脈動により、騒音及び振動の増大も懸念される。本実施形態のロータリ圧縮機１０２によれば、こうした問題を解消できる。
【００５５】
なお、図８Ａ、図８Ｂ、図９及び図１０Ｂの縦軸（圧力軸）及び横軸（容積軸）は、互いに同一の尺度で描かれている。図１０Ａ及び図１０Ｂは、吸入逆止弁が無いときの問題点を説明するための図であり、本発明の先行技術を構成しない。
【００５６】
次に、第１ベーン３２と第２ベーン３３との位置関係について説明する。両者の位置関係は、吸入逆止弁５０の開閉タイミングとも深く関わっている。吸入逆止弁５０の開閉タイミングは、冷媒の種類、冷凍サイクル装置１００の用途等にも左右される。
【００５７】
本実施形態によると、シャフト４の回転方向に関して、第１ベーン３２が配置された第１の角度位置（０度）から第２ベーン３３が配置された第２の角度位置までの角度θが２７０度以上に設定されている。角度θは、第１圧縮室２５で圧縮するべき冷媒の流量、及び第２圧縮室２６で圧縮するべき冷媒の流量に応じて適切に設定されるべきである。
【００５８】
ただし、角度θが小さくなればなるほど、第１圧縮室２５から第１吸入孔１９に逆流する冷媒の量が増大する。適切な角度θの範囲は、例えば２７０≦θ≦３５０である。
【００５９】
もちろん、最適な角度θは、冷凍サイクル装置１００の用途に応じて変化する。図１１に示すように、角度θが２７０度未満の形態も考えられる。角度θが小さくなればなるほど、第１圧縮室２５から第１吸入孔１９に逆流する冷媒の量が増える。第１圧縮室２５から第１吸入孔１９への冷媒の逆流を防止するために、第１吸入孔１９にも吸入逆止弁を設けることができる。
【００６０】
上述した知見によれば、吸入逆止弁５０は、（i）（ii）又は（iii）で特定される期間において、第２圧縮室２６に吸入された冷媒が第２吸入孔２０を通じて第２圧縮室２６の外に逆流することを阻止する。（i）吸入逆止弁５０は、第２圧縮室２６が最大容積に達した時点から、第２圧縮室２６が最小容積（≒０）に達する時点まで、逆流を阻止する。（ii）吸入逆止弁５０は、第２圧縮室２６が最大容積に達した時点から、圧縮された冷媒が第２吐出孔４１を通じて第２圧縮室２６の外に吐出され始める時点まで、逆流を阻止する。（iii）吸入逆止弁５０は、第２圧縮室２６が最大容積に達した時点から、シリンダ５とピストン８との接点がシャフト４の回転に伴って第２吸入孔２０を通過する時点まで、逆流を阻止する。角度θが比較的大きい場合、吸入逆止弁５０は（i）の動きをする。角度θが比較的小さい場合、吸入逆止弁５０は（ii）又は（iii）の動きをする。
【００６１】
ところで、本発明者らは、複数のベーンを備えたロータリ圧縮機に次のような問題が存在することも突き止めている。
【００６２】
図２１に示すように、ベーンを１つのみ有する従来のローリングピストン型圧縮機によると、主に、ベーン５４０の先端面５４１に加えられた圧力と背面５４２に加えられた圧力との差に起因して、ベーン５４０をピストン５４３に向けて押し付ける力が発生する。高圧シェル型の圧縮機の場合、ベーン５４０の背面５４２には、吐出圧力（高圧）に等しい圧力が加わる。ベーン５４０は、平面視で円弧状の先端面５４１を有し、その先端面５４１でピストン５４３と接している。１つのシリンダにベーン５４０が１つだけ設けられている場合、ベーン５４０とピストン５４３との接点から見て先端面５４１の右側部分には、常に吸入孔５４４からの吸入圧力（低圧）が加わる。先端面５４１の左側部分には、吸入圧力（低圧）と吐出圧力（高圧）との間で変化する圧力が加わる。先端面５４１の左側部分に吐出圧力（高圧）が加わったときでも、先端面５４１の右側部分に吸入圧力（低圧）が常に加わっているので、先端面５４１と背面５４２との間の圧力差は十分に確保される。故に、ベーン５４０にはピストン５４３に向けて常に十分な大きさの押し付け力が働く。
【００６３】
これに対し、特許文献２に記載されたローリングピストン型圧縮機５０１によれば、１つのシリンダに２つのベーンが設けられている。ベーンを１つのみ備えたローリングピストン型圧縮機と同じ考え方で、２つのベーンに働く押し付け力を検証する。図２０に示すように、ベーン５２５の先端面の半分には、常に吸入孔５２６ａからの吸入圧力（低圧）が加わる。ベーン５２５の先端面の他の半分には、副圧縮室５２７の圧力が加わる。副圧縮室５２７の圧力は、気液分離器５０７で分離された気相の冷媒の圧力（中間圧）と吐出圧力（高圧）との間で変化する。従って、ローリングピストン型圧縮機５０１が高圧シェル型の圧縮機であるという前提に立てば、ベーン５２５にはピストン５２３に向けて十分な大きさの押し付け力が働く。
【００６４】
次に、ベーン５３５の先端面の半分には、常に吸入孔５２７ａからの吸入圧力、つまり、気液分離器５０７で分離された気相の冷媒の圧力（中間圧）が加わる。ベーン５３５の先端面の他の半分には、主圧縮室５２６の圧力が加わる。主圧縮室５２６の圧力は、吸入圧力（低圧）と吐出圧力（高圧）との間で変化する。従って、ベーン５３５に働く押し付け力（最小の押し付け力）は、ベーン５２５に働く押し付け力及び従来のローリングピストン型圧縮機のベーン５４０に働く押し付け力よりも小さい。
【００６５】
ベーンに働く押し付け力が小さい場合、「ベーン飛び」と呼ばれる不具合が起こる可能性がある。ここで「ベーン飛び」とは、ベーンの先端がピストンから離れる現象のことを意味する。ベーン飛びが起こると、圧縮機効率の顕著な低下を招くおそれがある。特に、本実施形態のように、第２吸入孔２０に吸入逆止弁５０が設けられている場合、ベーン飛びが顕在化しやすい。ベーン飛びの発生を防止するための手段として、次の構成を提案できる。下記の構成の少なくとも１つを採用することにより、ベーン飛びの発生を防止できる。
【００６６】
図１２Ａに示す構成では、第２ベーン３３の幅Ｗ4が第１ベーン３２の幅Ｗ3よりも小さい。幅の調節に代えて、又は幅の調節とともに、第２ベーン３３の重量を第１ベーン３２の重量よりも軽くしてもよい。第１ベーン３２の寸法が第２ベーン３３の寸法に等しい場合でも、第２ベーン３３の材料として、第１ベーン３２の材料よりも軽量なものを使用することにより、第２ベーン３３の重量を減らせる。例えば、第１ベーン３２が鉄を主成分（質量％で最も多く含まれた成分）として含む金属でできている場合、アルミニウムを主成分として含む金属で第２ベーン３３を構成できる。なお、「ベーンの幅」は、シャフト４の軸方向及びベーンの長手方向に直交する方向の寸法を意味する。
【００６７】
図１２Ｂに示す構成では、第２ベーン３３のシール長さＬ2が第１ベーン３２のシール長さＬ1よりも短い。言い換えれば、第２ベーン３３が第１ベーン３２よりも短い。「シール長さ」とは、ベーンがベーン溝に最大限に押し込まれた状態での長手方向に関するベーンとベーン溝との接触面の長さを意味する。また、第２ばね３７として、第１ばね３６のばね定数よりも大きいばね定数を有するものを使用してもよい。
【００６８】
上記した各構成によれば、第２ベーン３３に働く慣性力を低減できる。また、大きいばね定数を有するばねの使用により、ばねに基づく押し付け力を増やすことができる。そのため、先端面に加えられた圧力と背面に加えられた圧力との差に基づく押し付け力が小さい場合でも第２ベーン３３のベーン飛びを防止できる。
【００６９】
（変形例）
図１３は、変形例に係るロータリ圧縮機の縦断面図である。ロータリ圧縮機２０２は、図２に示すロータリ圧縮機１０２にシリンダ等の部品を追加した構造を有する。本変形例において、図２に示す圧縮機構３、シリンダ５、ピストン８及び偏心部４ａをそれぞれ第１圧縮機構３、第１シリンダ５、第１ピストン８及び第１偏心部４ａと定義する。第１圧縮機構３の詳細な構造は、図２〜図６を参照して説明した通りである。
【００７０】
図１３及び図１４に示すように、ロータリ圧縮機２０２は、第１圧縮機構３に加えて第２圧縮機構３０を備えている。第２圧縮機構３０は、第２シリンダ６５、中板６６、第２ピストン６８、副軸受６７、マフラー７０、第３ベーン７２、第３吸入孔６９、第３吐出孔７３を有する。第２シリンダ６５は、第１シリンダ５に対して同心状に配置されており、中板６６によって第１シリンダ５から隔てられている。
【００７１】
シャフト４は、半径方向の外向きに突出した第２偏心部４ｂを有する。第２ピストン６８は、第２シリンダ６５の内部に配置されている。第２シリンダ６５の内部において、第２ピストン６８はシャフト４の第２偏心部４ｂに取り付けられている。中板６６は、第１シリンダ５と第２シリンダ６５との間に配置されている。第２シリンダ６５には、ベーン溝７４が形成されている。ベーン溝７４には、第２ピストン６８の外周面に接する先端を有する第３ベーン７２（ブレード）がスライドできるように取り付けられている。第３ベーン７２は、第２シリンダ６５と第２ピストン６８との間の空間を第２ピストン６８の周方向に沿って仕切っている。これにより、第２シリンダ６５の内部に第３圧縮室７１が形成されている。第２ピストン６８と第３ベーン７２とが単一の部品、いわゆるスイングピストンで構成されていてもよい。また、第３ベーン７２が第２ピストン６８に結合していてもよい。第３ベーン７２の背後には、シャフト４の中心に向かって第３ベーン７２を押している第３ばね７６が配置されている。
【００７２】
第３吸入孔６９は、第３圧縮室７１で圧縮するべき冷媒を第３圧縮室７１に導く。第３吸入孔６９には、第３吸入管６４が接続されている。第３吐出孔７３は、副軸受６７を貫いてマフラー７０の内部空間に向かって開口している。第３圧縮室７１で圧縮された冷媒は、第３吐出孔７３を通って、第３圧縮室７１から第３圧縮室７１の外、具体的には、マフラー７０の内部空間に導かれる。主軸受６、第１シリンダ５、中板６６、第２シリンダ６５及び副軸受６７をシャフト４の軸方向に貫通している流路６３を通って、マフラー７０の内部空間から密閉容器１の内部空間１３に冷媒が導かれる。流路６３は、密閉容器１の内部空間１３に向かって開口していてもよいし、マフラー９の内部空間に向かって開口していてもよい。
【００７３】
以上のように、第２圧縮機構３０は、ベーンを１つのみ有する通常のローリングピストン型圧縮機の圧縮機構と同じ構造を有している。
【００７４】
ロータリ圧縮機２０２において、第２シリンダ６５の高さ、内径及び外径は、それぞれ、第１シリンダ５の高さ、内径及び外径に等しい。第１ピストン８の外径は、第２ピストン６８の外径に等しい。第２シリンダ６５の内部には第３圧縮室７１のみが形成されているので、第１圧縮室２５が第３圧縮室７１の容積よりも小さい容積を有する。つまり、第１圧縮機構３と第２圧縮機構３０との間で部品を共通化することにより、コストの低減及び組立容易性の向上を図ることができる。
【００７５】
本変形例によれば、シャフト４の軸方向に関して、第１圧縮機構３が上側、第２圧縮機構３０が下側に配置されている。第１圧縮機構３で圧縮された冷媒は、主軸受６に設けられた吐出孔４０及び４１を通ってマフラー９の内部空間に導かれる。第１圧縮機構３は、２つの吐出孔４０及び４１を有している。そのため、吐出孔４０及び４１から密閉容器１の内部空間１３までの距離をなるべく短くし、これにより、吐出孔４０及び４１での冷媒の圧力損失をなるべく低減することが望ましい。この観点から、第１圧縮機構３が軸方向の上側に配置されていることが好ましい。
【００７６】
しかし、他の観点から、第１圧縮機構３は軸方向の下側に配置されていてもよい。その理由は次の通りである。モータ２に近づけば近づくほど密閉容器１の内部の温度は高い。つまり、ロータリ圧縮機２０２の動作時において、主軸受６は副軸受６７及びマフラー７０の温度よりも高い温度を有する。そのため、第１圧縮機構３が上側に配置され、第２圧縮機構３０が下側に配置されている場合、第２圧縮室２６に導かれるべき冷媒が加熱されやすい。すると、第２圧縮室２６で圧縮されるべき冷媒の質量流量が減少するので、インジェクションによる効果も減少する。より高いインジェクション効果を得るために、第２圧縮室２６を有する第１圧縮機構３が下側に配置され、第２圧縮機構３０が上側に配置されていてもよい。
【００７７】
図１３に示すように、シャフト４の回転方向に関して、第１偏心部４ａの突出方向と第２偏心部４ｂの突出方向との角度差が１８０度である。言い換えれば、第１ピストン８と第２ピストン６８との位相差がシャフト４の回転方向に関して１８０度である。さらに言い換えれば、第１ピストン８の上死点のタイミングが第２ピストン６８の上死点のタイミングから１８０度ずれている。このような構成によれば、第１ピストン８の回転に基づいて発生する振動を第２ピストン６８の回転によって打ち消すことができる。また、第１圧縮室２５の圧縮行程と第３圧縮室７１の圧縮行程とが概ね交互に行われるとともに、第１圧縮室２５の吐出行程と第３圧縮室７１の吐出行程とが概ね交互に行われる。従って、シャフト４のトルク変動を小さくできるためモータ損失及び機械損失の低減に有利である。また、ロータリ圧縮機２０２の振動及び騒音も低減できる。なお、「ピストンの上死点のタイミング」とは、ピストンによってベーンがベーン溝に最大限に押し込まれたタイミングを意味する。
【００７８】
ロータリ圧縮機２０２を図１に示す冷凍サイクル装置１００に使用する場合、次のような構成を採用できる。冷凍サイクル装置１００は、蒸発器としての第１熱交換器１０４又は第２熱交換器１１２から流出した冷媒をロータリ圧縮機２０２の第１吸入孔１９に導く吸入流路１０ｄを有する。図１３に示すように、第１熱交換器１０４又は第２熱交換器１１２から流出した冷媒がロータリ圧縮機２０２の第１吸入孔１９及び第３吸入孔６９の両方に導かれるように、吸入流路１０ｄは、第１吸入孔１９に向かって延びる分岐部分１４と、第３吸入孔６９に向かって延びる分岐部分６４とを含む。本実施形態では、第１吸入管１４が分岐部分１４を構成し、第３吸入管６４が分岐部分６４を構成している。このような構成によれば、第１圧縮室２５及び第３圧縮室７１に冷媒をスムーズに導くことができる。なお、吸入流路１０ｄが密閉容器１の内部で分岐していてもよい。
【００７９】
（第２実施形態）
図１５は、第２実施形態に係る冷凍サイクル装置の構成図である。本実施形態の冷凍サイクル装置２００は、インジェクションを２段階で行う点で第１実施形態の冷凍サイクル装置１００と相違する。インジェクションを２段階で行うので、冷凍サイクル装置２００を暖房又は給湯の用途で使用する場合に特に高い効果が得られる。以下、第１実施形態で説明した構成要素には、同一の参照符号を付し、その説明を省略する。
【００８０】
冷凍サイクル装置２００は、ロータリ圧縮機３０２、第１熱交換器１０４、第１膨張機構１０６、第１気液分離器１０８、第２膨張機構１１０、第２気液分離器１０９、第３膨張機構１１１及び第２熱交換器１１２を備えている。これらの構成要素は、冷媒回路１０を形成するように、流路１０ａ〜１０ｅによって上記の順番に環状に接続されている。冷媒回路１０には、冷媒の流れ方向を切り替えることができる切り替え機構として、四方弁１１６が設けられている。
【００８１】
第１膨張機構１０６は、放熱器としての第１熱交換器１０４で冷却された冷媒を膨張させる。第１気液分離器１０８は、第１膨張機構１０６で膨張した冷媒を気相の冷媒と液相の冷媒とに分離する。第２膨張機構１１０は、第１気液分離器１０８で分離された液相の冷媒を膨張させる。第２気液分離器１０９は、第２膨張機構１１０で膨張した冷媒を気相の冷媒と液相の冷媒とに分離する。第３膨張機構１１１は、第２気液分離器１０９で分離された液相の冷媒を膨張させる。第３膨張機構１１１を通過した冷媒は、蒸発器としての第２熱交換器１１２に流入する。四方弁１１６の機能により、上記と逆の方向にも冷媒を流すことができる。
【００８２】
ロータリ圧縮機３０２は、第１吸入孔１９、第２吸入孔２０、第３吸入孔２３及び第４吸入孔２４を有する。吸入流路１０ｄは、第１熱交換器１０４又は第２熱交換器１１２から流出した冷媒をロータリ圧縮機３０２の第１吸入孔１９及び第３吸入孔２３にそれぞれ導く。
【００８３】
冷凍サイクル装置２００は、さらに、第１インジェクション流路１０ｊ及び第２インジェクション流路１０ｋを備えている。第１インジェクション流路１０ｊは、第１気液分離器１０８に接続された一端とロータリ圧縮機３０２に接続された他端とを有し、第１気液分離器１０８で分離された気相の冷媒をロータリ圧縮機３０２に導く。第２インジェクション流路１０ｋは、第２気液分離器１０９に接続された一端とロータリ圧縮機３０２に接続された他端とを有し、第２気液分離器１０９で分離された気相の冷媒をロータリ圧縮機３０２に導く。
【００８４】
本実施形態の冷凍サイクル装置２００は、第１気液分離器１０８及び第１インジェクション流路１０ｊに加えて、第２気液分離器１０９及び第２インジェクション経路１０ｋを有している点で第１実施形態の冷凍サイクル装置１００と相違する。また、第２実施形態の冷凍サイクル装置２００に使用されたロータリ圧縮機３０２は、２段階でインジェクションを行えるように構成されている。
【００８５】
図１６、図１７Ａ及び図１７Ｂに示すように、ロータリ圧縮機３０２は、第１実施形態で説明した圧縮機構３と、圧縮機構３と同じ構造を有する第２圧縮機構９０とを備えている。シャフト４を共有するように、第１圧縮機構３に対して第２圧縮機構９０が同心状に配置されている。第１実施形態で説明したロータリ圧縮機１０２の圧縮機構３、シリンダ５、ピストン８、偏心部４ａ及び吸入逆止弁５０をそれぞれ第１圧縮機構３、第１シリンダ５、第１ピストン８、第１偏心部４ａ及び第１吸入逆止弁５０と定義する。
【００８６】
図１６及び図１７Ｂに示すように、第２圧縮機構９０は、第２シリンダ７５、第２ピストン７８、第３ベーン９２、第４ベーン９３、第３吸入孔２３、第３吐出孔４５、第３吐出弁４７、第４吸入孔２４、第４吐出孔４６、第４吐出弁４８及び第２吸入逆止弁５６を有する。第２シリンダ７５は、第１シリンダ５に対して同心状に配置されている。第２ピストン７８は、自身と第２シリンダ７５との間に第２の空間を形成するように第２シリンダ７５内に配置されている。シャフト４は、第２偏心部４ｂを有し、第２偏心部４ｂに第２ピストン７８が取り付けられている。第３ベーン９２は、シャフト４の回転方向に沿った第３の角度位置において第２シリンダ７５に取り付けられ、第２の空間を第２ピストン７８の周方向に沿って仕切っている。第４ベーン９３は、シャフト４の回転方向に沿った第４の角度位置において第２シリンダ７５に取り付けられ、第３圧縮室２７と、第３圧縮室２７の容積よりも小さい容積を有する第４圧縮室２８とが第２シリンダ７５内に形成されるように、第３ベーン９２によって仕切られた第２の空間をさらに仕切っている。第３吸入孔２３は、第３圧縮室２７で圧縮するべき作動流体を第３圧縮室２７に導く。第３吐出孔４５は、第３圧縮室２７で圧縮された作動流体を第３圧縮室２７から第３圧縮室２７の外に導く。第４吸入孔２４は、第４圧縮室２８で圧縮するべき作動流体を第４圧縮室２８に導く。第４吐出孔４６は、第４圧縮室２８で圧縮された作動流体を第４圧縮室２８から第４圧縮室２８の外に導く。第２吸入逆止弁５６は、第４吸入孔２４に設けられている。このように、第２圧縮機構９０は、第１圧縮機構３と基本的に同じ構造を有する。
【００８７】
すなわち、第１圧縮機構３の第１シリンダ５、第１ピストン８、第１ベーン３２、第２ベーン３３、第１吸入孔１９、第１吐出孔４０、第１吐出弁４３、第２吸入孔２０、第２吐出孔４１、第２吐出弁４４及び第１吸入逆止弁５０が、それぞれ、第２圧縮機構９０の第２シリンダ７５、第２ピストン７８、第３ベーン９２、第４ベーン９３、第３吸入孔２３、第３吐出孔４５、第３吐出弁４７、第４吸入孔２４、第４吐出孔４６、第４吐出弁４８及び第２吸入逆止弁５６に対応している。また、第１圧縮機構３の第１ベーン溝３４、第１ばね３６、第２ベーン溝３５及び第２ばね３７が、それぞれ、第２圧縮機構９０の第３ベーン溝９４、第３ばね９６、第４ベーン溝９５及び第４ばね９７に対応している。さらに、第１圧縮機構３の第１圧縮室２５及び第２圧縮室２６が、それぞれ、第２圧縮機構９０の第３圧縮室２７及び第４圧縮室２８に対応している。第１の角度位置及び第２の角度位置が、それぞれ、第３の角度位置及び第４の角度位置に対応している。さらに、ロータリ圧縮機１０２の第１吸入管１４及び第２吸入管１６が、それぞれ、ロータリ圧縮機３０２の第３吸入管８４及び第４吸入管８６に対応している。第１圧縮機構３に関する全ての構造及びその説明は、第２圧縮機構９０のそれらに援用できる。
【００８８】
ロータリ圧縮機３０２によれば、シャフト４の回転方向に関して、第１偏心部４ａの突出方向と第２偏心部４ｂの突出方向との角度差が１８０度である。言い換えれば、第１ピストン８と第２ピストン７８との位相差がシャフト４の回転方向に関して１８０度である。この構成に基づく効果は、図１３に示すロータリ圧縮機２０２に関して説明した通りである。
【００８９】
第１インジェクション流路１０ｊは、第１気液分離器１０８で分離された気相の冷媒をロータリ圧縮機３０２の第２吸入孔２０に導く。第２インジェクション流路１０ｋは、第２気液分離器１０９で分離された気相の冷媒をロータリ圧縮機３０２の第４吸入孔２４に導く。第１圧縮機構３及び第２圧縮機構９０の両方が中間圧を有する冷媒を圧縮できるので、ロータリ圧縮機３０２の更なる効率の向上を期待できる。
【００９０】
（変形例）
第１圧縮室２５は、第３圧縮室２７の容積と異なる容積を有していてもよい。また、第２圧縮室２６は、第４圧縮室２８の容積と異なる容積を有していてもよい。例えば、図１８に示す変形例では、第２シリンダ７５の厚みＨ2が第１シリンダ５の厚みＨ1よりも大きい。そのため、第４圧縮室２８（第２インジェクション圧縮室）が第２圧縮室２６（第１インジェクション圧縮室）の容積よりも大きい容積を有する。この場合、第２圧縮室２６に高圧側のインジェクション流路（例えば第１インジェクション流路１０ｊ）から冷媒を供給し、第４圧縮室２８に低圧側のインジェクション流路（例えば第２インジェクション流路１０ｋ）から冷媒を供給できる。つまり、相対的に大きい容積を有する第４圧縮室２８で相対的に低い圧力の冷媒を圧縮し、相対的に小さい容積を有する第２圧縮室２６で相対的に高い圧力の冷媒を圧縮する。このようにすれば、第２圧縮室２６及び第４圧縮室２８が、それぞれ、第１気液分離器１０８及び第２気液分離器１０９で生成したガス冷媒を過不足なく吸入できる。ガス冷媒が過不足なくロータリ圧縮機３０２にインジェクションされることにより、冷凍サイクル装置２００を高い効率で運転することが可能となる。
【００９１】
第２圧縮室２６の容積に対する第４圧縮室２８の容積の比率は、冷媒の種類、冷凍サイクル装置１００の用途等に左右されるので一概には決まらない。一例として、第２圧縮室２６の容積をＶ1、第４圧縮室２８の容積をＶ2とすると、容積Ｖ1及びＶ2が１．１≦（Ｖ2／Ｖ1）≦３０を満たすように、圧縮機構３及び９０の設計を行なえる。なお、圧縮室の容積は、シリンダの高さ、シリンダの内径、ピストンの外径、シャフトの偏心部の突出量等の様々な設計値の変更によって調節できる。もちろん、２つのベーンの位置関係を変更することによっても圧縮室の容積を調節できる。シリンダの高さ、シリンダの内径、ピストンの外径及びシャフトの偏心部の突出量から選ばれる少なくとも１つの設計値を第１圧縮機構３と第２圧縮機構９０との間で異ならせることにより、第２圧縮室２６の容積及び第４圧縮室２８の容積を上記した関係に調節する場合、ベーンの位置を変更することなく圧縮室の容積を最適化できる。
【００９２】
図１５に示す冷凍サイクル装置２００によれば、四方弁１１６を制御することにより冷媒の流れ方向が切り替わる。従って、図１９に示すように、第１インジェクション流路１０ｊの冷媒をロータリ圧縮機３０２の第２吸入孔２０及び第４吸入孔２４から選ばれる一方に導くことができ、かつ第２インジェクション流路１０ｋの冷媒をロータリ圧縮機３０２の第２吸入孔２０及び第４吸入孔２４から選ばれる他方に導くことができるように流路切替部１２２を設けることができる。
【００９３】
流路切替部１２２は、第１三方弁１１８、第２三方弁１１９、第１バイパス流路１２０及び第２バイパス流路１２１を有する。第１三方弁１１８は、第１インジェクション流路１０ｊ上に設けられている。第２三方弁１１９は、第２インジェクション流路１０ｋ上に設けられている。第１バイパス流路１２０は、第１三方弁１１８の１つの出口と第２インジェクション流路１０ｋとを接続している。第２バイパス流路１２１は、第２三方弁１１９の１つの出口と第１インジェクション流路１０ｊとを接続している。三方弁１１８及び１１９を実線で示されるように制御すると、第１インジェクション流路１０ｊの冷媒が第２吸入孔２０に導かれ、かつ第２インジェクション流路１０ｋの冷媒が第４吸入孔２４に導かれる。三方弁１１８及び１１９を破線で示されるように制御すると、第１インジェクション流路１０ｊの冷媒が第４吸入孔２４に導かれ、かつ第２インジェクション流路１０ｋの冷媒が第２吸入孔２０に導かれる。このようにすれば、冷媒の流れ方向が変わったとしても、第２圧縮室２６及び第４圧縮室２８のそれぞれに適切な圧力の冷媒を供給できる。
【産業上の利用可能性】
【００９４】
本発明の冷凍サイクル装置は、給湯機、温水暖房装置及び空気調和装置等に利用できる。
【図１】
0005631398.tif 000002
【図２】
0005631398.tif 000003
【図３】
0005631398.tif 000004
【図４】
0005631398.tif 000005
【図５Ａ】
0005631398.tif 000006
【図５Ｂ】
0005631398.tif 000007
【図６】
0005631398.tif 000008
【図７】
0005631398.tif 000009
【図８Ａ】
0005631398.tif 000010
【図８Ｂ】
0005631398.tif 000011
【図９】
0005631398.tif 000012
【図１０Ａ】
0005631398.tif 000013
【図１０Ｂ】
0005631398.tif 000014
【図１１】
0005631398.tif 000015
【図１２Ａ】
0005631398.tif 000016
【図１２Ｂ】
0005631398.tif 000017
【図１３】
0005631398.tif 000018
【図１４】
0005631398.tif 000019
【図１５】
0005631398.tif 000020
【図１６】
0005631398.tif 000021
【図１７Ａ】
0005631398.tif 000022
【図１７Ｂ】
0005631398.tif 000023
【図１８】
0005631398.tif 000024
【図１９】
0005631398.tif 000025
【図２０】
0005631398.tif 000026
【図２１】
0005631398.tif 000027